(57)【要約】      （修正有）【課題】バックセット寸法を容易に調整できる本締扉錠を提供する。【解決手段】操作部材によりラッチボルト４を進退させて施錠、開錠される本締扉錠において、ラッチボルト４が閂２とスライド部３とに２分割され、閂２の後部とスライド部３の前部とが軸方向に移動可能に同軸状に一部が重なる領域を有するとともに、閂２の先端にはボルト８の挿通穴２ａが、またスライド部３の前端にはボルト８に螺合する螺子穴３ａを有する。【選択図】図１
0003193788.tif 000002
【実用新案登録請求の範囲】
【請求項１】
操作部材によりラッチボルトを進退させてフロント板から閂により施錠、開錠される本締扉錠において、  前記ラッチボルトが閂とスライド部とに分割され、前記閂の後部とスライド部の前部とが軸方向にのみ移動可能に同軸状に一部が重なる領域を有するとともに、前記閂にはボルトの挿通穴が、また前記スライド部の前端には前記ボルトに螺合する螺子穴を有する本締扉錠。
【請求項２】
前記フロント板の裏面にフロント筒体が設けられ、また少なくとも一部が前記フロント筒体に軸方向にのみ摺動可能に挿通される分割可能な外装ケースとからなる請求項１に記載の本締扉錠。
【請求項３】
前記外装ケースが前記スライド部の追従する請求項２に記載の本締扉錠。 
【請求項４】
前記ボルトと閂の間に止め輪が介装されている請求項１ないし３のいずれかに記載の本締扉錠。
【考案の詳細な説明】
【技術分野】
【０００１】
本考案は、扉に取り付けられる錠箱内に設けられたラッチボルトをサムターンツマミやノブの操作により進退させて施錠、開錠する本締扉錠に関する。
【背景技術】
【０００２】
サムターンツマミやノブなどの操作部材により閂などの施錠部材をフロント板から出没させて施錠、開錠する本締扉錠は、操作部材の回動中心とフロント板との寸法、いわゆるバックセット寸法が一定であるため、本締扉錠を交換する場合にはバックセット寸法が同一のものを選択する必要がある。
【０００３】
このため、たとえば特許文献１に見られるようにラッチボルトをラッチ部とスライド部とに分割し、ラッチ部とスライド部との対向領域側で一部が重なるとともに軸方向に移動可能で、かつ所定の位置で両者を挟持固定する手段により所要の寸法に調整可能に構成したものが提案されている。
【先行技術文献】
【特許文献】
【０００４】
【特許文献１】特開2007-205112号公報
【考案の概要】
【考案が解決しようとする課題】
【０００５】
しかしながら、ラッチ部とスライド部との固定手段が対向領域に存在するため、寸法を合わせるためには、一旦仮止めして扉にセットして寸法を確認し、確認後取外して本固定するいう工程が必要になり、作業が面倒であるという不都合がある。
本考案は、このような問題に鑑みてなされたものであって、その目的とするところはフロント板側からボルトの回動操作により容易にバックセット寸法が調整できる本締扉錠を提供することである。
【課題を解決するための手段】
【０００６】
このような課題を達成するために本考案においては、操作部材によりラッチボルトを進退させてフロント板から閂により施錠、開錠される本締扉錠において、前記ラッチボルトが閂とスライド部とに分割され、前記閂の後部とスライド部の前部とが軸方向にのみ移動可能に同軸状に一部が重なる領域を有するとともに、前記閂の先端にはボルトの挿通穴が、また前記スライド部の前端には前記ボルトに螺合する螺子穴を有する。
【考案の効果】
【０００７】
扉にセットした状態でもフロント板側から閂のボルトを回動させることにより閂とスライド部との距離、つまりバックセット寸法を調整できる。
【図面の簡単な説明】
【０００８】
【図１】本考案の本締扉錠の一実施例を示す分解斜視図。
【図２】本考案の本締扉錠の一実施例を示す外観斜視図。
【図３】図（ａ）、（ｂ）、（ｃ）は、それぞれ縦断面、横断面、及び止め輪前面での断面図。
【図４】図（ａ）、（ｂ）は、それぞれ本考案の本締扉錠のバックセット寸法の変化を示す図。
【考案を実施するための形態】
【０００９】
そこで以下に本考案の詳細を図に示した実施例に基づいて説明する。
図１〜３は、本考案の一実施例を示すものであって、殻体構造の外装ケース１、１’には閂２とスライド部３とに２分されたラッチボルト４と、操作カム５が装填されている。レバーやサムターンツマミなどの操作部材に連結される操作カム５は、両端５ａ，５ａが外装ケース１、１’の支持穴１ａ、１ａ’に回動可能に支持され、スライド部３の後端に係合して軸方向に移動可能に構成されている。
【００１０】
外装ケース１，１’の前端側には閂２やスライド部３を摺動可能に収容する胴部１ｂ、１ｂ’が形成されている。胴部１ｂ、１ｂ’にはフロント筒体９の内面に形成されたキー
と係合して回動を防止する溝１ｃ、１ｃ’が形成されている。また胴部の少なくとも一方の表面にはフロント筒体９の端部を基準としたバックセット寸法を示す表示１２が設けられている。  
【００１１】
閂２は、その前端、つまりフロント板６の側に止輪７が挿通されたボルト８の貫通穴２ａが形成されており、またスライド部３の前端にはこのボルト８に螺合する螺子穴３ａが設けられ、ボルト８により閂２とスライド部３との距離を無段階に調整できるように構成されている。なお、符号６ａは閂２の挿通窓で、閂２の断面形状と一致するように非円形、この実施例では小判型に形成されている。  
【００１２】
フロント板６の裏面側には閂２や、外装ケース１，１’の前端の胴部１ｂ、１ｂ’を摺動可能に収容するフロント筒部９が形成されている。  
【００１３】
この実施例において、扉の錠取り付け穴に本締扉錠を装着して閂２のボルト８を回動、たとえば締め込み方向に回動するとスライド部３がボルト８によって閂側に引き出されバックセット寸法が短くなり（図４（ａ））、またボルト８を緩める方向に回動するとスライド部３がボルト８により奥側に押出されてバックセット寸法が長くなる（図４（ｂ））。
【００１４】
なお、閂２の挿通窓６ａと閂２とが非円形、この実施例では小判型に形成されているのでボルト８の回動に閂２が連れ回りすることはなく、またボルト８と閂２との間に止輪７が存在するので、調整完了後にボルト８が勝手に回動してバックセット寸法が変化するようなことは無い。
【００１５】
また、外装ケース１，１の一方と操作カム５とは図３（ｂ）に見られるように操作カム５の凹部にセットしたスプリング１０とボール１１とにより係合しているため、外装ケース１，１’はフロント筒体９の内面を軸方向に摺動してスライド部３の移動に追従する。
このようにしてボルト８をいずれかの方向に回動させてバックセット寸法を調整し、最後にサムターンツマミを操作カム５に取付ければ施工が完了する。
【符号の説明】
【００１６】
１、１’  外装ケース    ２  閂    ２ａ  ボルトの貫通穴  ３  スライド部  ３ａ  螺子穴    ４ラッチボルト    ５  操作カム    ８  ボルト    ９  フロント筒体
【図１】
0003193788.tif 000003
【図２】
0003193788.tif 000004
【図３】
0003193788.tif 000005
【図４】
0003193788.tif 000006
【手続補正書】
【提出日】平成26年8月25日(2014.8.25)
【手続補正１】
【補正対象書類名】実用新案登録請求の範囲
【補正対象項目名】請求項３
【補正方法】変更
【補正の内容】
【請求項３】
前記外装ケースが前記スライド部の移動に追従する請求項２に記載の本締扉錠。